(57)【要約】【課題】既存の電子メールネットワークを利用して、その一ユーザー（情報提供者）がデーターベースとして登録され、個々のユーザーが、携帯電話或いはパソコンから一ユーザーのデータベースに接続することによって、所要の情報を検索し、入手出来るようにすること。【解決手段】電子メールネットワークに情報提供者が一ユーザーとして登録され、電子メールネットワークに接続された個々の携帯電話又はパソコンのユーザーが前記情報提供者宛ての電子メールの「件名欄」に所望の情報のキーワードを打ち込み、前記情報提供者のパソコンのメール処理モジュールが前記キーワードに基づぎ前記情報提供者の持つ情報の検索を行うように構成され、検索された情報を前記質問を発信した個々のユーザーに回答を発信するように構成した。【選択図】        図１
2005071306.tif 000002
【特許請求の範囲】
【請求項１】
電子メールネットワークに接続された携帯電話又はパソコンのユーザーが所要の情報に関する質問を発信し、その回答を得るための電子メールネットワークを用いた情報提供システムであって、
電子メールネットワークに情報提供者が一ユーザーとして登録され、
電子メールネットワークに接続された個々の携帯電話又はパソコンのユーザーが前記情報提供者宛ての電子メールの「件名欄」に所望の情報のキーワードを打ち込み、
前記情報提供者のパソコンのメール処理モジュールが前記キーワードに基づき前記情報提供者の持つ情報の検索を行うように構成され、
検索された情報を前記質問を発信した個々のユーザーに回答を発信するように構成した、
電子メールネットワークを用いた情報提供システム。
【請求項２】
前記情報検索において、該当情報が検索されなかった場合に、情報提供者において当該質問が登録されると共に個々のユーザーにその旨を回答するように構成した、
請求項１の電子メールネットワークを用いた情報提供システム。
【請求項３】
前記情報検索において、該当情報が検索された場合に、該当情報を要約するプロセスが設けられている、
請求項１又は請求項２の電子メールネットワークを用いた情報提供システム。
【請求項４】
前記検索情報が、商品情報、地域情報、一般情報等である、
請求項１乃至請求項３の電子メールネットワークを用いた情報提供システム。
【発明の詳細な説明】
【技術分野】
【０００１】  本発明は、電子メールネットワークを用いた情報の検索と入手を行うためのシステムに関するものである。
【背景技術】
【０００２】  従来、携帯電話、パソコンを操作するユーザーに対しての各種の情報提供は、インターネットを用いて行なわれていた。インターネットのサイトを開いて、その検索欄に所要のキーワードを打ち込むことにより、各種の情報が入手できるようにされていた。
【発明の開示】
【発明が解決しようとする課題】
【０００３】  これに対し、電子メールネットワークは、ネットワークに接続された個々の特定のユーザー間の情報交換、主に私信の交換を行うものであり、その情報は、殆ど個々のユーザーがその都度作成した情報である。
即ち、これまでの電子メールネットワークにおいては、一ユーザーが不特定多数の者の情報を検索して入手するということは全く行なわれていなかった。【０００４】  そこで、電子メールネットワークが、個々のユーザーを繋ぐものであり、個々のユーザー間の情報交換が可能であるという点に着目し、その一ユーザーがデータベースを持つようにすれば、個々のユーザーに対して情報を提供できるのではないかと考えた。【０００５】  一ユーザーがデーベースを持つことは容易であるが、電子メールネットワークを別なソフトとするのではなく、出来るだけ既存のソフトをそのまま用いて情報検索と発信を出来るようにすることは簡単ではない。【０００６】  本発明は、既存の電子メールネットワークを利用して、その一ユーザーがデーターベースとして登録され、個々のユーザーが、携帯電話或いはパソコンから一ユーザーのデータベースに接続することによって、所要の情報を検索し、入手出来るようにすることを目的とする。
【課題を解決するための手段】
【０００７】  本発明かかる電子メールネットワークを用いた情報提供システムは、上記目的を達成するべく、電子メールネットワークに接続された携帯電話又はパソコンのユーザーが所要の情報に関する質問を発信し、その回答を得るための電子メールネットワークを用いた情報提供システムであって、
電子メールネットワークに情報提供者が一ユーザーとして登録され、
電子メールネットワークに接続された個々の携帯電話又はパソコンのユーザーが前記情報提供者宛ての電子メールの「件名欄」に所望の情報のキーワードを打ち込み、
前記情報提供者のパソコンのメール処理モジュールが前記キーワードに基づき前記情報提供者の持つ情報の検索を行うように構成され、
検索された情報を前記質問を発信した個々のユーザーに回答を発信するように構成した、
という手段を講じたものである。
【発明の効果】
【０００８】  本発明によれば、既存の電子メールネットワークを利用し、情報提供者の側のメール処理モジュールを改変するだけで、これまで形式的にしか利用されていなかった個々の携帯電話或いはパソコンの電子メールの件名欄を利用することによって、情報提供者のデータベースを検索して、所要の情報を入手することが出来るという大きな利点がある。
本発明にかかるその他の具体的な効果については、上記発明の実施の態様の項及び実施例の項において詳述した通りである。
【発明を実施するための最良の態様】
【０００９】  本発明において、前記情報検索において、該当情報が検索されなかった場合に、情報提供者において当該質問が登録されると共に個々のユーザーにその旨を回答するように構成するのが好ましい。
このプロセスによって、情報質問者は、当該情報が存在しないことが分かると共に情報提供者もその該当情報が存在しないことが記録として残されることで、次回の質問者の為に所要の情報をインプットするように準備できる。
【００１０】  また、前記情報検索において、該当情報が検索された場合に、該当情報を要約するプロセスが設けられているのが好ましい。
このプロセスが設けられることで、データベースの情報を要約して発信することができ、取りあえず、情報の概要を把握することが出来る。
【００１１】  また、前記検索情報が、商品情報、地域情報、一般情報等であるのが好ましく。こうした情報は、一般の電子メールの私信交換とは全く異なる情報交換を意味するもので、その他の情報として、あらゆる情報がデータベースに蓄積されていてよい。
【実施例１】
【００１２】  以下、本発明にかかる電子メールネットワークを用いた情報提供システムの好適実施例について、図面を参照して詳述する。
図１は、本発明にかかる電子メールネットワークに接続された携帯電話１又はパソコン２のユーザーが所要の情報に関する質問を発信し、その回答を得るための電子メールネットワークを用いた情報提供システムのフローチャートである。【００１３】  電子メールネットワークに接続された携帯電話１又はパソコン２のユーザー（質問者）が、その携帯電話１又はパソコン２の電子メールサイトの「件名欄」に、所要の情報に関するキーワード、例えば、通常の電子メールである私信と区別する特定キーワード＃に加え、二つのキーワード「天気」、「関東地域」を打ち込み（入力）、電子メールネットワークに登録されたデータベースの持ち主である情報提供者３宛てに発信する。【００１４】  前記情報提供者３のパソコンでは、そのメール処理モジュールが、発信されてきた特定キーワード＃に基づいて、そのデーターベースの情報を検索するようにソフトが組まれてあり、続くキーワード「天気」、「関東地域」に基づいて所要の情報を検索する。この際、提供情報の存在の有無が判断され、情報が存在しなければ、前記情報提供者３のパソコンの質問リストにその旨登録されると同時に、質問者にその旨の回答が発信される。そして、質問リストに登録された質問に基づき、情報提供者３は、次ぎの質問者のために回答（情報）を準備（入力）することになる【００１５】  本発明は、上記電子メールネットワークに接続された個々の携帯電話１又はパソコン２のユーザーが前記情報提供者３宛ての電子メールの「件名欄」に所望の情報のキーワードを打ち込むことが特徴である。これは、図２に示すところの電子メールの一般のソフトで現れる窓であり、これまでは、宛先と、ＣＣ：と件名との３つの窓が現れ、宛先にはメールアドレスが打ち込まれ、ＣＣ：は、空白のままとし、件名は、適宜の文言を打ち込んでいたものであるが、その件名欄は、単なる記号を打ち込んでも良く、実質的には、何等特定の機能を発揮していなかった。【００１６】  本発明では、この件名欄を利用して、検索するべき情報に対応する所要のキーワードを打ち込むことになるが、通常の私信と区別し、情報提供者３の検索機能を駆動するための特定のキーワード＃と、これに続く所用のキーワードを入力するものである。こうした特定のキーワードは、上記の如き記号※でなくてもよく、特定の数字であっても、特定の文字であっても良く、情報提供者３と個々のユーザーとが予め合意されたものであれば何でも良い。【００１７】  上記情報提供者３のパソコンでは、メール処理モジュールが前記キーワードに基づき前記情報提供者３の持つ情報（データベース）の検索を行い、検索された情報を、前記質問を発信した個々の携帯電話１又はパソコン２のユーザーに回答として発信するように構成されている。従って、質問者である個々の携帯電話１又はパソコン２のユーザーは、その電子メールソフトの改変を要しないものである。尚、前記メール処理モジュールについては、単なるソフトの設計上に関わる事項であるので、ここでの詳細説明は省略する。【００１８】  更に、前記情報検索において、該当情報が検索されなかった場合に、情報提供者３のパソコンにおいて当該質問が登録されると共に個々のユーザーにその旨を回答するように構成されている。
また、前記情報検索において、該当情報が検索された場合に、該当情報を要約するプロセスが設けられている。これにより、蓄積情報から所要の部分を簡潔に情報発信し、更に詳細情報が必要な場合に、次ぎのステップへと進めるようにされている。
尚、前記検索情報が、商品情報、地域情報、一般情報等、あらゆる情報が対象となるものであり、情報対象が限定されるものではない。
【産業上の利用可能性】
【００１９】  本発明の活用例として、通常の電子メール送受信を行う携帯電話による電子メール、パソコンによる電子メールを利用出来る他、情報提供者も、その電子メールネットワークの一ユーザーであるところから、情報提供者を任意に増やすことが可能である（情報提供者におけるメール処理モジュールを改変する）と共に当該情報提供者から次ぎの情報提供者（データベース）へ中継することも可能であって、電子メールネットとして、種々の業種が個々のデータベースを提供できることになり、多大の情報検索と入手が可能となる。
【図面の簡単な説明】
【００２０】
【図１】本発明に係る電子メールネットワークを用いた情報提供システムの概要を示すフローチャートである。
【図２】本発明に係る電子メールネットワークを用いた情報提供システムの要部を示す概略図である。
【符号の説明】
【００２１】１：携帯電話
２：パソコン
３：情報提供者
【図１】
2005071306.tif 000003
【図２】
2005071306.tif 000004